(57)【要約】【課題】  ＩＣタグを電子機器に組み込んだ場合、ＩＣタグの内容を書き込み可能な機器の近傍を通過しただけでＩＣタグの内容が使用者の意図に反して書き換わってしまう場合があった。また反対に情報を受け取りたい場合には書き込み可能な機器にわざわざ近接させなければならないので煩わしいといった問題もあった。【解決手段】  本体動作に利用する情報を保存する第一メモリとＩＣタグ内の書き換え可能な第二メモリを設け、第二メモリの情報が書き換えられた場合、第一メモリにその情報を本体動作に利用する情報として書き換えるかどうかを使用者が選択可能な選択手段を設けた。また前記第一、第二のメモリの少なくとも一方には複数回分の情報を記憶できるようにして過去に受信した情報を履歴情報として保存して、任意の時に履歴情報を本体動作に利用する情報として選択可能にした。【選択図】  図１
2009289141.tif 000002
【特許請求の範囲】
【請求項１】
動作に必要な第一の電力を取得可能な電力取得手段（９）と、情報を記憶する第一記憶手段（7）と、少なくとも前記第一記憶手段（７）に記憶した情報を表示可能な表示手段（５）を有した電子機器において、該電子機器とは異なる外部機器（１５）からの無線通信を第二の電力に変換する電力変換手段（１１）と、少なくとも前記電力変換手段（１１）によって得られた第二の電力で動作可能な、情報を記憶する第二記憶手段（１３）と情報の送受信を行なう無線通信手段（１２）と、前記第二記憶手段（１３）と前記無線通信手段（１２）を制御する演算処理手段（１４）を含む電子回路部（３）と、前記第一記憶手段（７）に前記第二記憶手段（１３）の情報を移動させるか否かを選択するための情報選択手段（８）を有し、前記電子機器が起動した時において前記第一記憶手段（７）と前記第二記憶手段（１３）の内容を比較し異なる場合には前記表示手段（５）にその旨を表示するとともに、前記情報選択手段（８）によって第二記憶手段（１３）の情報を前記第一記憶手段（７）に移動するか否かの選択を使用者が選択可能にしたことを特徴とする電子機器。
【請求項２】
前記第一記憶手段（７）と前記第二記憶手段(１３)の少なくとも一方は前記無線通信手段（１２）を介して得られた情報を複数回分記憶することができ、前記複数の情報のうち任意の情報を電子機器の動作時に利用する有効情報に変更可能にしたことを特徴とする請求項１に記載の電子機器。
【発明の詳細な説明】
【技術分野】
【０００１】
本発明は外部からのエネルギー波を起動力に変換して動作する電子回路を含んだ電子機器に関するものである。
【背景技術】
【０００２】
近年、RFID(Radio  Frequency  Identification)による無線通信を用いて非接触で情報の読み出しおよび書き込みを行なういわゆるICタグの利用が広まっている。そしてこのICタグを電子機器に搭載して電子機器の利便性を向上させる提案が特許文献１でなされている。
【特許文献１】特開2006-005633号公報
【発明の開示】
【発明が解決しようとする課題】
【０００３】
しかしながらＩＣタグを電子機器に組み込んだ場合、ＩＣタグの内容を書き換え可能な機器の近傍を通過しただけでＩＣタグの内容が使用者の意図に反して書き換わってしまう場合や反対に情報を受け取りたい場合には書き込み可能な機器にわざわざ近接させなければならないので煩わしいといった問題があった。
【０００４】
本発明の第一の目的はＩＣタグを組み込んだ電子機器のＩＣタグの記録内容が使用者の意図に反して書き換わってしまった場合でも電子機器に不都合が生じないようにすることである。
【０００５】
また本発明の第二の目的はＩＣタグの内容を書き換えたい場合に書き込み可能な機器に近接させることなく書き換えを可能にすることである。
【課題を解決するための手段】
【０００６】
上記第一の目的を達成するために本出願の第一の発明では、動作に必要な第一の電力を取得可能な電力取得手段と、情報を記憶する第一記憶手段と、少なくとも前記第一記憶手段に記憶した情報を表示可能な表示手段を有した電子機器において、該電子機器とは異なる外部機器からの無線通信を第二の電力に変換する電力変換手段と、少なくとも前記電力変換手段によって得られた第二の電力で動作可能な、情報を記憶する第二記憶手段と情報の送受信を行なう無線通信手段と前記第二記憶手段と前記無線通信手段を制御する演算処理手段を含む電子回路部と、前記第一記憶手段に前記第二記憶手段の情報を移動させるか否かを選択するための情報選択手段を有し、前記電子機器装置が起動した時において前記第一記憶手段と前記第二記憶手段の内容を比較し異なる場合には前記表示手段にその旨を表示するとともに、前記情報選択手段によって第二記憶手段の情報を前記第一記憶手段に移動するか否かの選択を使用者が選択できるようにしたことを特徴としている。
【０００７】
上記第二の目的を達成するために本出願の第二の発明では第一の発明の電子機器の前記第一記憶手段（７）と前記第二記憶手段（１３）の少なくとも一方は前記無線通信手段（１２）によって得られた情報を複数回分記憶可能にして、その複数の情報から電子機器の動作時に利用する有効情報に任意に変更できるようにしたことを特徴としている。
【発明の効果】
【０００８】
以上説明したように、本出願の第一の発明によれば、動作に必要な第一の電力を取得可能な電力取得手段と、情報を記憶する第一記憶手段と、少なくとも前記第一記憶手段に記憶した情報を表示可能な表示手段を有した電子機器装において、該電子機器とは異なる外部機器からの無線通信を第二の電力に変換する電力変換手段と、少なくとも前記電力変換手段によって得られた第二の電力で動作可能な、情報を記憶する第二記憶手段と情報の送受信を行なう無線通信手段と前記記憶手段と前記無線通信手段を制御する演算処理手段を含む電子回路部と、前記第一記憶手段に前記第二記憶手段の情報を移動させるか否かを選択するための情報選択手段を有し、前記電子機器装置が起動した時において前記第一記憶手段と前記第二記憶手段の内容を比較し異なる場合には前記表示手段にその旨を表示するとともに、前記情報選択手段によって第二記憶手段の情報を前記第一記憶手段に移動するか否かの選択を使用者が選択できるようにしたので、電子機器で使用する情報が使用者の意思に反して書き換えられる心配がないといった効果がある。
【０００９】
また本出願の第二の発明では上記第一の発明の電子機器の前記第一記憶手段（７）と前記第二記憶手段（１３）の少なくとも一方は前記無線通信手段（１２）によって得られた情報を複数回分記憶可能にし、前記複数の情報から電子機器の動作時に利用する有効情報に変更可能にすることにより過去に入手した情報であれば、外部機器から情報を取得すること無しに情報を電子機器に反映することが可能になるといった効果がある。
【発明を実施するための最良の形態】
【００１０】
次に、本発明の詳細を実施例の記述に従って説明する。
【実施例１】
【００１１】
図１は本発明の特徴を最もよく表す図で、映像をデジタルデータとして保存可能なデジタルカメラのブロック図である。同図において1はデジタルカメラの筐体を示し、２、３はそれぞれ前記筐体1の内部に収められた本体部とICタグ部である。４は映像データを生成するする撮像部で、５は映像データや文字データを表示する表示部である。６は撮像部で生成された映像データを保存する映像記憶手段である。７は撮影した映像データに付加する付加情報を記憶する第一メモリで、付加情報として使用する情報を保存する使用情報保存部７ａと過去に使用したことのある情報を保存する履歴情報保存部７ｂを有している。なお、本実施例では前記付加情報は撮影場所データとする。８はデジタルカメラを操作するための電源ボタンやレリーズボタン、モード切換えダイヤル、十字キーといった操作手段である。９は本体部２の駆動源であるで電力を供給する電力供給部である。１０は本体部２の動作全般を制御するメイン制御手段で、後述する第二メモリ１３に保存された内容も読み出し可能となっているものとする。そして前記本体部２は４から１０の構成要素で構成されている。１１は無線通信を行なうための電磁波を送受信するためのアンテナ部で、後述する外部機器１５から所定の無線通信を受信することでICタグ部３の動作に必要な電力を生成する無線電力供給手段を兼ねている。１２は少なくとも前記アンテナ部１１で生成された電力で動作する外部機器１５と情報の送受信を行なう無線通信手段である。１３は外部機器からの情報等を記憶する第二メモリである。
【００１２】
１４はＩＣタグ部部の制御全般を行なうＩＣタグ部制御手段である。前記ＩＣタグ部３は１１から１４の構成要素で構成されている。１５は少なくとも前記無線通信手段１２と無線通信可能なＩＣタグ通信手段１６を有した外部機器である。なお本実施例では前記外部機器１５は駅や空港等のゲートに設けられていて、近傍を通過するＩＣタグに対して地名等の土地情報を書き込む装置であるものとする。
【００１３】
次に動作を説明する。まず前記ＩＣタグ部３の動作を説明する。図２は図１のデジタルカメラのＩＣタグ部３の動作フローを示すフローチャート図である。同図においてまず前記ＩＣタグ部３は常に電波受信状態になっており(Ｓ２００)、前記外部機器１５からの無線電波を受信すると（Ｓ２０１）、電源供給用の電磁波を前記アンテナ部１１により前記ＩＣタグ部３の駆動用電力に変換する（Ｓ２０２）。そしてＳ２０２では得られた電力を用いて前記ＩＣタグ部３は前記外部機器１５と無線通信を行い、前記外部機器１５からの識別データを受信し（Ｓ２０３）、前記外部機器１５との通信が可能かどうか判定する（Ｓ２０４）。ここで外部機器１５との通信が可能かどうかの判定は外部機器１５からの識別信号を受け取り、その識別信号とＩＣタグ部３の第二メモリ１３に予め保存されたデータと比較して所定の条件を満たしているか否かで判定しているものとする。Ｓ２０４で通信可能と判定された場合は外部機器１５とデータの送受信を行い（Ｓ２０５）、前記外部機器１５から受け取った情報は更新情報として第二メモリの書き換えが行なわれる（Ｓ２０６）。またＳ２０４で前記外部機器１５が所定の条件を満たしていないと判定された場合には前記外部機器１５との通信を中止し（Ｓ２０７）、通信を中止した理由をエラー情報として前記第二メモリ１３に保存し（Ｓ２０８）、待機状態（Ｓ２００）に移行する。
【００１４】
次に前記本体部２の動作を説明する。図３は図１のデジタルカメラの本体部２の動作フローを示すフローチャート図である。同図において操作手段８の図示しない電源ボタンが操作されると（Ｓ１０１）、前記第一メモリ７の使用情報保存部７ａと前記第二メモリ１３の内容を比較し、第二メモリ１３の内容が書き換わっているかどうかのチェックを行なう（S１０２）。そして第二メモリ１３の内容が書き換わっていると判定された場合は、Ｓ１０３へ進み書き換わった情報がエラー情報かどうかを判定し、エラー情報であった場合は前記表示手段５にエラー情報を表示した後通常動作Ｓ１１２へ移行する。書き換わった情報が正常であった場合は前記表示手段５に前記第二メモリ１３の内容が書き換わっている旨を表示するとともに前記第一メモリ７の使用情報保存部７ａと前記第二メモリ１３の情報を表示する（Ｓ１０４）。次に前記表示手段５に前記第二メモリ１３の情報を受け入れるかどうかの選択画面を追加表示する（Ｓ１０５）。図４（ａ）はこのとき表示手段５の表示例を示した図である。同図において８ａは十字キーで表示手段５に表示されたカーソルを任意の位置に移動することができ、図４（ａ）では「Ｎｏ」の位置にカーソルがあるが、十字キー８ａの左端を操作することでカーソルを「ＹＥＳ」の位置に変更可能となっている。また８ｂは表示手段５に表示された情報とカーソル位置に応じてカメラに所定の動作に移行させるためのＯＫボタンである。次に使用者は表示手段５に表示された内容から前記第二メモリの情報を受け入れるか否かを判断して、前記十字キー８ａ、ＯＫボタン８ｂを操作して選択を行なう。（Ｓ１０６）。そしてＳ１０６で前記第二メモリ１３の情報を使用者が受け入れる操作をした場合は前記第一メモリ７の使用情報保存部７ａの内容を履歴情報保存部７ｂに移動した後、使用情報保存部７ａの内容を前記第二メモリ１３の内容に書き換えを行ない（Ｓ１０７）、通常動作Ｓ１１２へ移行してデジタルカメラとしての通常の動作を行なう。またＳ１０６で使用者が前記第二メモリ１３の情報を受け入れない操作をした場合は第二メモリ１３の内容を保存するか廃棄するかの選択画面に移行する(Ｓ１０８)。図４（ｂ）はこのときの表示例を示した図である。ここで使用者は「保存する」を選択した場合は第二メモリの情報を履歴情報として前記第一メモリ７の履歴情報保存部７ｂに保存し（Ｓ１０９）、「破棄する」を選択すると前記第二メモリ１３の内容を第一メモリ７の使用情報保存部７ａの内容に書き換えを行なう（Ｓ１１０）。以上で第一メモリ７の使用情報保存部７ａと第二メモリ１３の内容が一致しなかった場合の動作を終了し、通常動作Ｓ１１２に移行する。またＳ１０２で前記第一メモリ７の使用情報保存部７ａの内容が前記第二メモリ１３の内容と一致した場合は前記第二メモリ１３の情報は変更されていないと判断して直ちに通常動作Ｓ１１２へ移行する。
【００１５】
次にＳ１１２の通常動作の動作について説明するが、本実施例では通常動作の一例として撮影動作のみを説明する。図５は撮影動作の動作フローを示すフローチャート図である。撮影モードでは図示しないレリーズボタンの検知を行う（Ｓ３０２）。そしてレリーズボタンの操作が検知されると前記撮像部４により被写体の撮影が行なわれ映像データが生成される（Ｓ３０３）。なおＳ３０２でレリーズボタンが検知されない場合はＳ３０６に移行する。Ｓ３０３で生成された映像データに前記第一メモリ７の使用情報保存部７ａに保存された土地情報が映像データに付加され（Ｓ３０４）、前記映像記憶手段６に記録される。以上で一回の撮影動作は終了し、Ｓ３０６で情報変更ボタンの検知が、またＳ３０７で電源ボタンの検知が行なわれる。Ｓ３０６，Ｓ３０７でそれぞれの操作手段の操作が検知されなかった場合はＳ３０２からＳ３０７の動作を繰り返す。そしてＳ３０６で情報変更ボタンの操作が検知されると情報変更モードに移行する（Ｓ３０８）。情報変更モードでは図６のように前記第一メモリ７の履歴情報保存部７ｂに記憶された複数の情報が前記表示部５に表示される。ここで使用者は前記十字キー８ａを操作することによりその中から1つの情報を選択して「ＹＥＳ」を選択した状態でＯＫボタン８ｂを操作すると、前記第一メモリ７の使用情報保存部７ａの情報は前記第一メモリ７の履歴情報保存部７ｂに保存された後、新たに選択された情報が前記使用情報保存部７ａと前記第二メモリ１３へ書き換えられる。またＳ３０７で電源ボタンが操作されたことを検知した場合はメイン制御手段１０への電源供給が停止され（Ｓ３０9）、デジタルカメラは非動作状態、即ちＳ２００の状態に戻る。
【００１６】
なお、本実施例では第一メモリ７に使用情報保存部７ａと履歴情報保存部７ｂを設けているが、本発明はこれに限定されるものではなく、例えば情報そのものに使用情報か履歴情報かの識別情報を付加して第一メモリ７ないし第二メモリ１３にランダムに保存するようにしても良い。
【００１７】
また本実施例では外部機器１５から場所情報のみを取得しているが、本発明はこれに限定されることはないのは言うまでもなく、同時に天気や気圧情報など複数の情報も取得できるようにしても良い。
【００１８】
以上説明したように本実施例ではＩＣタグ部３の第一メモリ７にＩＣタグ部３で受信した情報を履歴として残すかどうかを使用者が選択できるようにしたので、不要な情報によって第一メモリ７が占有される恐れがないといったメリットがある。
【００１９】
なお、本実施例では外部機器１５から得た情報の履歴を第一メモリ７に保存しているが、情報の履歴を第二メモリ１３に保存するようにしても良い。この場合、第二メモリ１３はカメラの電源を入れない状態でも外部機器１５からの無線通信によって動作可能なので、複数回情報を受信してその情報を履歴として取得することも可能になるといったメリットがある。
【００２０】
また本実施例では外部機器１５との通信が何らかの理由で成立しなかった場合にその旨を保存するようにしているので無線通信トラブルの対処の参考にすることができるといったメリットがある。
【図面の簡単な説明】
【００２１】
【図１】本発明の実施したデジタルカメラのブロック図
【図２】図１のＩＣタグ部の動作フローを示すフローチャート図
【図３】図１の本体部の動作フローを示すフローチャート図
【図４】（ａ）情報取得時の表示を示す図、（ｂ）情報取得時の操作を示す図
【図５】図１の本体部の撮影動作フローを示すフローチャート図
【図６】情報変更時の表示および操作を示す図
【符号の説明】
【００２２】
１  デジタルカメラの筐体
２  本体部
３  ＩＣタグ部
４  撮像部
５  表示部
６  記憶部
７  第一メモリ
７ａ  使用情報保存部
７ｂ  履歴情報保存部
８  操作手段
９  電力供給部
１０  メイン制御手段
１１  アンテナ部
１２  無線通信手段
１３  第二メモリ
１４  ＩＣタグ部制御手段
１５  外部機器
１６  ＩＣタグ通信手段
【図１】
2009289141.tif 000003
【図２】
2009289141.tif 000004
【図３】
2009289141.tif 000005
【図４】
2009289141.tif 000006
【図５】
2009289141.tif 000007
【図６】
2009289141.tif 000008